(57)【要約】【課題】照度一定制御においてランプ出力が出過ぎることを防止し、省エネルギーに寄与する照明装置を提供する。【解決手段】制御部２は、照度検出部１による照度検出値に基づいて被照射面の照度を一定にする照度一定制御機能を有している。照度一定制御において、標準的な被照射面の状態で調光レベルを変化させた各調光レベルに対応する照度基準値である基準カーブと、実際の被照射面の反射率に基づいて算出した補正係数とを用いて、照度目標値を算出設定し、この照度目標値に合わせて照度検出値が一定になるように明るさを制御する。ここで、補正係数として、光源となる蛍光灯１２の出力が安定した状態での光源出力または被照射面の照度検出値を加味して算出したものを用いる。【選択図】図２
2010049834.tif 000002
【特許請求の範囲】
【請求項１】
光源を点灯させる点灯装置と、
前記光源による被照射面の照度を検出する照度検出部と、
前記照度検出部による照度検出値に基づいて前記光源の光出力を制御するもので、被照射面の照度を所定値に設定するための照度目標値に合わせて、前記照度検出値が一定になるように明るさを制御する照度一定制御機能を持つ制御部とを備え、
前記制御部は、標準的な被照射面の状態で調光レベルを変化させた各調光レベルに対応する照度基準値である基準カーブと、実際の被照射面の反射率に基づいて算出した補正係数とを用いて、前記照度一定制御時の照度目標値を算出設定するものであり、
前記補正係数として、前記光源の出力が安定した状態での光源出力または被照射面の照度検出値に基づき算出したものを用いる照明装置。
【請求項２】
請求項１に記載の照明装置であって、
前記制御部は、前記光源を全灯点灯させたときの基準カーブの値である基準値をＤ、全灯点灯状態での照度検出値をＡ、補正係数をＨとして、Ｈ＝Ａ÷Ｄによって前記補正係数を算出してメモリ部に記憶し、
前記照度目標値をＶ、任意の調光レベルでの照度検出値をＭとして、Ｖ＝Ｍ×Ｈによって前記照度目標値を算出して設定する照明装置。
【請求項３】
請求項２に記載の照明装置であって、
前記制御部は、前記光源を全灯点灯させた場合の初期状態での出力と、前記光源の出力が安定したときの出力との差を予め記憶し、前記補正係数として前記出力差を用いて修正した補正係数を算出する照明装置。
【請求項４】
請求項２に記載の照明装置であって、
前記制御部は、前記光源が安定するまでの安定時間を用いて、前記光源を全灯点灯させて前記安定時間経過後の照度検出値によって前記補正係数を算出する照明装置。
【請求項５】
請求項２に記載の照明装置であって、
前記制御部は、全灯点灯状態での照度検出値を所定時間間隔で検出し、前記所定時間経過時の照度検出値の変化量が所定値以下となった場合にその時点の照度検出値によって前記補正係数を算出する照明装置。
【発明の詳細な説明】
【技術分野】
【０００１】
本発明は、照度を所定値に制御する調光機能を持つ照明装置に関する。
【背景技術】
【０００２】
省エネルギーを実現する照明装置として、周囲照度を検出して照度を略一定に保つように制御するものが知られている。
【０００３】
例えば特許文献１には、被照射面の照度を所定値に設定する第１のモードと明るさ検出手段の検出値を受けて光源の光出力を制御する第２のモードとを切替えるモード切替手段と、前記第１のモードから前記第２のモードに切り替わるときの明るさ検出手段の検出値を記憶する記憶手段とを設け、前記第２のモード時に、前記記憶手段に記憶された検出値を維持するように前記光源の光出力を制御する照明装置が記載されている。このように制御することで、被照射面照度の設定を変更する際に、光源の光出力を変化させての照度を十分に確認することが可能となっている。
【０００４】
また、特許文献２には、照度検出手段により検出された周囲の照度値に基づいて点灯指示を照明装置に出力し当該照明装置の点灯を制御すると共に、前記点灯指示を出力した後に前記照明装置の調光制御を開始する照明制御装置において、電源投入直後に点灯指示を照明装置に出力した場合、当該点灯指示に応じて点灯した照明装置のランプが安定し得る時間である安定時間が経過した後に、前記照明装置の調光制御を開始する照明制御装置が記載されている。この制御により、電源投入直後に点灯させた場合のランプへの悪影響を防止することが可能となっている。
【特許文献１】特開平１０−２７０１７８号公報
【特許文献２】特開２００７−１４１５８４号公報
【発明の開示】
【発明が解決しようとする課題】
【０００５】
被照射面の照度を所定値に保つような調光機能を持つ照明装置としては、外光などのない状態でランプを全灯点灯（１００％出力）して照度の測定を行い、予め記憶している１００％点灯時の照度基準値に対する照度検出値の比率を演算により求めて補正係数として記憶し、被照射面の明るさの基準カーブとこの補正係数とを用いて照度一定制御を行うものが考えられる。このような照明装置において、１００％点灯状態の照度検出値を求めるにあたり、通常では、点灯初期状態で照度検出及び補正係数算出を行うことが想定される。ランプの種類によっては、例えばランプ出力が安定するまで２時間ほど掛かり、ランプ安定時に５％程ランプ出力がダウンするものがある。したがって、上記のようにランプ安定時間を加味しない場合は、照度一定制御の目標値が高めに設定されるため、必要な照度よりもランプ出力を大きくして明るくしようとするので、省エネルギーに反するという課題があった。なお、上記特許文献２の照明制御装置は、ランプ安定時間経過後に調光制御を開始するものであって、上述のような照度一定制御を行う装置とは目的が異なるものである。
【０００６】
本発明は、上記事情に鑑みてなされたもので、照度一定制御においてランプ出力が出過ぎることを防止し、省エネルギー化を図ることが可能な照明装置を提供することを目的とする。
【課題を解決するための手段】
【０００７】
本発明は、光源を点灯させる点灯装置と、前記光源による被照射面の照度を検出する照度検出部と、前記照度検出部による照度検出値に基づいて前記光源の光出力を制御するもので、被照射面の照度を所定値に設定するための照度目標値に合わせて、前記照度検出値が一定になるように明るさを制御する照度一定制御機能を持つ制御部とを備え、前記制御部は、標準的な被照射面の状態で調光レベルを変化させた各調光レベルに対応する照度基準値である基準カーブと、実際の被照射面の反射率に基づいて算出した補正係数とを用いて、前記照度一定制御時の照度目標値を算出設定するものであり、前記補正係数として、前記光源の出力が安定した状態での光源出力または被照射面の照度検出値に基づき算出したものを用いる照明装置を提供する。
【０００８】
また、本発明は、上記の照明装置であって、前記制御部は、前記光源を全灯点灯させたときの基準カーブの値である基準値をＤ、全灯点灯状態での照度検出値をＡ、補正係数をＨとして、Ｈ＝Ａ÷Ｄによって前記補正係数を算出してメモリ部に記憶し、前記照度目標値をＶ、任意の調光レベルでの照度検出値をＭとして、Ｖ＝Ｍ×Ｈによって前記照度目標値を算出して設定するものを含む。
【０００９】
また、本発明は、上記の照明装置であって、前記制御部は、前記光源を全灯点灯させた場合の初期状態での出力と、前記光源の出力が安定したときの出力との差を予め記憶し、前記補正係数として前記出力差を用いて修正した補正係数を算出するものを含む。
【００１０】
また、本発明は、上記の照明装置であって、前記制御部は、前記光源が安定するまでの安定時間を用いて、前記光源を全灯点灯させて前記安定時間経過後の照度検出値によって前記補正係数を算出するものを含む。
【００１１】
また、本発明は、上記の照明装置であって、前記制御部は、全灯点灯状態での照度検出値を所定時間間隔で検出し、前記所定時間経過時の照度検出値の変化量が所定値以下となった場合にその時点の照度検出値によって前記補正係数を算出するものを含む。
【００１２】
上記構成により、光源の出力が安定した状態を加味して算出した補正係数を用いて、光源の明るさを一定にする照度一定制御を行うことで、例えばランプ出力安定時に初期状態からランプ出力が低下するような光源であっても、照度一定制御においてランプ出力が出過ぎることを防止でき、省エネルギー化を図れる。
【発明の効果】
【００１３】
本発明によれば、照度一定制御においてランプ出力が出過ぎることを防止し、省エネルギー化を図ることが可能な照明装置を提供できる。
【発明を実施するための最良の形態】
【００１４】
以下の実施形態では、光源のランプとして蛍光灯を用いた照明装置の構成例を示す。
【００１５】
図１は本発明の実施形態に係る照明装置の構成の一例を示す概観図である。図２は図１に示す照明装置の構成の一例を示すブロック図である。
【００１６】
図１に示す照明装置は、住宅用シーリングタイプの照明器具５と赤外線式のリモコン装置２１とを有して構成される。照明器具５は、円盤状の筐体２２の中央に器具固定部兼電源接続部１６があり、天井面に設置されている引掛け式の器具取付部兼交流電源供給部に取付けられる。さらに照明器具５の円盤状の筐体２２には、主光源である蛍光灯１２、及び蛍光灯１２の点灯回路１５、リモコン受信部９が、蛍光灯１２の光を下面方向へ反射するための反射板２３とともに構成されており、照明器具の下面は透光性を樹脂製のカバー２５で覆われている。
【００１７】
リモコン受信部９は、赤外線の受光素子６、補助光源であるＬＥＤ（発光ダイオード）常夜灯７とその駆動部８、制御部（マイコン）２、メモリ部３、タイマ部４を備え、制御部２のプログラムに従い各々の動作を行う。
【００１８】
点灯回路１５は、フィルタ１４を介して交流電源に接続され直流電力を出力する力率改善部１３と、力率改善部１３が出力した直流電力を交流電力に変換して蛍光灯１２に供給するインバータ部１１とを備える一般的な構成である。
【００１９】
照度検出部１は、周囲の明るさを検出するフォトＩＣダイオード等により構成され、被照射面の照度を検出し、かつ蛍光灯１２からの直接光を受けないよう、筐体２２の外周に取付けられた枠体２４内に収納されるとともに、蛍光灯１２より上方の位置に配置されている。
【００２０】
リモコン装置２１は、リモコン信号を送信する赤外線ＬＥＤ１８、照明器具の操作を行うための操作ボタン１９、各種設定を行うための設定ボタン２０、及び制御部（マイコン）１７を備える。操作ボタン１９の主な用途は、蛍光灯１２の全灯、調光、ＬＥＤ常夜灯７の点灯、調光レベルを上げる、調光レベルを下げる、消灯、照度一定制御機能の設定／解除である。設定ボタン２０は、照度目標値を設定するための明るさ設定ボタン、被照射面の反射率の違いによる検出電圧のずれを補正するための補正ボタンを備えている。
【００２１】
なお、主光源は白熱灯や電球型蛍光灯などでもよく、補助光源は豆電球であってもよい。白熱灯、及び豆電球の点灯、調光制御は交流電源を位相制御することにより行う。また、他の例として、リモコン通信手段は赤外線でなくとも微弱無線、特定省電力無線などであってもよく、リモコン受信部９、点灯回路１５などの構成、器具構造、配置についても限定されるものではない。例えば照明器具５や蛍光灯１２は丸型でなくとも角型であってもよく、また照明器具５はカバー２５を備えない下面開放型のペンダントタイプであってもよい。照度検出部１はフォトＩＣダイオードを用いて説明するが、これに限定する趣旨のものではなく、例えばフォトトランジスタやフォトダーリントントランジスタ、Ｃｄｓ光導電セルなど周囲の明るさを検出できる素子であればよく、また太陽電池セルによる起電力を利用してもよい。また、照度検出部１の取付け位置についても照明器具の直接光を検出しなければ配置は特に限定されるものではなく、例えば検知範囲に自由度を持たせるため照度検出部１を照明器具から独立して（離して）構成してもよい。
【００２２】
まず、基本的な動作の一例として蛍光灯１２の全灯を行う場合について説明する。リモコン装置２１の蛍光灯の全灯ボタンを押すと、赤外線ＬＥＤ１８から蛍光灯１２の全灯を意味するリモコン信号が送信される。照明器具５のリモコン受信部９で受光素子６がリモコン信号を受信すると、制御部２でリモコン信号を判別し、蛍光灯１２の全灯を行うべく調光信号を出力する。調光信号は例えばデューティ信号（動作周波数は約１ｋＨｚ）であり、デューティの比率を変えることにより調光を行う。予めメモリ部３に、調光量に応じたデューティのデータテーブルが格納されており、制御部２が受信したリモコン信号に応じたデューティ信号を読み出して出力する。照明器具５は、デューティ信号に応じて連続的に１０〜１００％の範囲で調光できる蛍光灯器具であり、デューティ信号のデューティ比率が１００％のときに１００％点灯、デューティ比率が１０％のときに１０％点灯となるように設定している。
【００２３】
照度検出部１からの出力は、入射光量によりフォトＩＣダイオードの出力電流が変化し、前記フォトＩＣダイオードに直列接続された負荷用抵抗により電圧信号に変換され、入射光に応じて例えば０〜５Ｖの範囲で設定されている。照度検出部１の出力が０Ｖのときは入射光なし（暗状態）、５Ｖのときは入射光が最大（明状態）である。
【００２４】
リモコン受光部９と点灯回路１５とは信号線で接続されており、点灯回路１５の制御部１０がリモコン受信部９からの調光信号を受け、インバータ部１１の出力を全灯出力にする。ここで、リモコン信号を受信する直線の点灯状態が消灯、あるいはＬＥＤ常夜灯７が点灯していた場合は、蛍光灯１２は予熱、始動のシーケンスを経て全灯出力となる。また、直前の点灯状態が蛍光灯１２の調光状態であった場合は、調光状態から出力がスムーズに変化（スイープ）して全灯出力となる。
【００２５】
次に、照度一定制御機能について詳細に説明する。照度一定制御を行う場合、まず、照度目標値（外光を含まない照明器具のみの明るさ）の設定を行う。この際、予め各調光ステップに対応した照度基準値を設定してメモリ部３に記憶しておき、蛍光灯１２を所望の明るさで点灯させ、ユーザが明るさ設定ボタンを押下操作する。リモコン受信部９の制御回路２は、明るさ設定ボタンの操作に関するリモコン信号を受けると、そのときの調光ステップ（調光レベル）を記憶する。
【００２６】
使用する部屋のカーペットや床の色、テーブルの有無などによって被照射面の反射率が異なるため、被照射面の照度が同じであっても、照度検出部１における照度検出値（照度検出電圧）にずれが生じる。反射率が高い部屋では、照度検出値が高くなり照明器具出力を下げることになるため目標照度よりも暗くなり、反射率が低い部屋では、照度検出値が低くなり照明器具出力を上げることになるため目標照度よりも明るくなってしまう。そこで、反射率の違いによらず被照射面の照度がほぼ一定となるよう、補正係数を用いて照度検出値のずれの補正を行う。この場合、照度目標値の設定に先立ち、補正係数の設定を行う。
【００２７】
図３は照度基準値を表した基準カーブ及び補正係数を示す図である。図３のグラフは、調光レベルと照度検出値との関係を示したもので、被照射面の反射率（下面反射率）が低い場合は傾きが小さくなり、反射率が高い場合は傾きが大きくなる。照度基準値を表す基準カーブは、下面反射率が標準的な値（反射率高と低の中間）の被照射面の状態を基準としている。調光レベルを変化させて光源の明るさを０〜１００％の間で変化させた時の照度検出部での照度検出値を、予めデーターテーブル（照度検出値−調光レベル）として記憶して、基準カーブとしている。ここで、基準値Ｄは、基準カーブにおける１００％点灯時の照度検出電圧値である。
【００２８】
まず、参考例として、通常の補正係数の設定手順を説明する。図４は通常の補正係数の設定手順を示すフローチャートである。ユーザが補正係数の設定を行う補正ボタンを押下操作し、補正係数設定動作を指示する。リモコン受信部９の制御回路２は、補正ボタンの操作に関するリモコン信号を受けると、外光などのない状態の実使用状態で蛍光灯１２を全灯点灯（１００％点灯）させ（ステップＳ１）、この状態で照度検出部１による照度の測定を開始し、照度検出値の測定を行う（ステップＳ２）。そして、照度検出回数をカウントし（ステップＳ３）、照度検出回数ｎが１０回になったかを判定して（ステップＳ４）、１０回の照度検出値を得るまで照度の測定を繰り返す。その後、１０回測定した照度検出値の平均化を行い（ステップＳ５）、平均値の照度検出値（照度検出電圧）Ａを求める。そして、Ｈ＝Ａ÷Ｄの式によって補正係数Ｈを算出する（ステップＳ６）。ここで、Ｄは前述した基準カーブにおける１００％点灯時の照度基準値に相当する基準値Ｄである。
【００２９】
上記手順により、下面反射率に応じた補正係数Ｈが求められる。この補正係数Ｈは、メモリ部３に記憶している全灯時の照度基準値に対する照度の比率、すなわち反射率に相当する値である。この算出値を補正係数Ｈとしてメモリ部３に記憶する。なお、照度基準値は、事前に反射率の違いを測定して平均値を設定する。例えば、照度基準値が２Ｖであるとして、照度検出値が１Ｖであれば、補正係数は０．５となる。よって、補正後の照度目標値は、照度基準値に補正係数０．５を乗じた値となる。
【００３０】
そして、補正係数の設定後に、照度目標値の設定を行う。照度目標値の設定においては、ユーザがまず上／下調光レベルボタンを操作して所望の明るさを設定する。ユーザは任意の光源の明るさ（調光レベル）に設定することができ、その時の照度検出値の目標値（照度目標値Ｖ）を設定して記憶する必要がある。ここで、図３に示すように任意の調光レベルをＬとする。リモコン受信部９の制御回路２は、上／下調光レベルボタンの操作に関するリモコン信号を受けると、そのリモコン信号で指示された調光レベルになるよう点灯回路１５に指示を送る。そして、ユーザが明るさ設定ボタンを押下操作し、リモコン受信部９の制御回路２が明るさ設定ボタンの操作に関するリモコン信号を受けると、そのときの調光レベルＬを記憶し、補正係数Ｈによって補正した照度目標値を算出して設定する。ここで、調光レベルＬに対応する基準カーブの照度基準値をＭとすると、照度検出部１における測定値の目標値（照度目標値）Ｖは、Ｖ＝Ｍ×Ｈとなる。
【００３１】
照度目標値の設定後、ユーザがリモコン装置２１の照度一定制御機能の設定ボタンを押すと、照度一定制御が実行される。リモコン受信部９の制御回路２は、照度一定制御機能の設定ボタンの操作に関するリモコン信号を受けると、照度一定制御の指示を点灯回路１５に指示を送信する。この際、点灯回路１５は、まず照度目標値の設定を行った調光ステップで蛍光灯１２を点灯し、照度検出部１における照度検出値が照度目標値と一致するよう照明器具出力を制御する。
【００３２】
図５は照度一定制御時の照度を示す動作概念図である。この図５では、外光の明るさに対する照度検出値と照明器具出力の関係を照度で示している。全灯出力（１００％）時の被照射面の平均照度が７００Ｌｘ、下限出力（１０％）時が７０Ｌｘであるとして、照度目標値を５６０Ｌｘ（出力８０％相当）に設定しているものとする。外光がゼロのとき照明器具出力は８０％であり、外光が増えるに従い照明器具出力を下げながら照度検出値がほぼ５６０Ｌｘ一定となるようフィードバック制御する。外光が４９０Ｌｘ以上では、照明器具出力が１０％以下には下がらないため、外光増加に応じて照度検出値も５６０Ｌｘ以上に増加することになる。
【００３３】
（実施形態１）
実施形態１として、本発明に係る補正係数設定動作の第１例を示す。上記図４に示した参考例では、ランプ安定時間を加味していないため、ランプ安定時にランプ出力が数％低下するような光源を備えた照明装置では、照度一定制御の目標値が高めに設定されるため、必要な照度よりもランプ出力を大きくして明るくしようとしてしまう。そこで、本実施形態では、ランプ安定時間を加味して補正係数を算出設定することで、照度一定制御においてランプ出力が出過ぎることを防止する。
【００３４】
実施形態１は、補正係数Ｈを設定する際、使用する光源が安定した時の光源の出力の差を、予め記憶しておき、照度検出部１における照度検出値Ａの値を補正する。図６はランプ出力の安定時までの時間推移を示す図である。この図６では、蛍光灯ランプを光源とし、調光レベル１００％とした場合のランプ出力が安定するまでの時間推移を示している。この場合、ランプ出力は６０分位で安定する。安定した時のランプ出力は、初期に対して低下率Ｐ＝８％ダウンする。
【００３５】
図７は実施形態１における補正係数の設定手順を示すフローチャートである。ユーザが補正係数の設定を行う補正ボタンを押下操作し、補正係数設定動作を指示する。リモコン受信部９の制御回路２は、補正ボタンの操作に関するリモコン信号を受けると、外光などのない状態の実使用状態で蛍光灯１２を全灯点灯（１００％点灯）させ（ステップＳ１１）、この状態で照度検出部１による照度の測定を開始し、照度検出値の測定を行う（ステップＳ１２）。そして、照度検出回数をカウントし（ステップＳ１３）、照度検出回数ｎが１０回になったかを判定して（ステップＳ１４）、１０回の照度検出値を得るまで照度の測定を繰り返す。その後、１０回測定した照度検出値の平均化を行い（ステップＳ１５）、平均値の照度検出値（照度検出電圧）Ａを求める。続いて、上記のように安定時のランプ出力が８％低下することを加味して、平均化した照度検出値Ａの修正値Ａ′を求める（ステップＳ１６）。この際、安定時のランプ出力低下率をＰとし、Ａ′＝Ａ−（Ａ×Ｐ／１００）によってランプ安定時間を加味して修正した照度検出値Ａ′を算出する。そして、この照度検出値Ａ′を用いて、Ｈ＝Ａ′÷Ｄの式によって補正係数Ｈを算出し、メモリ部に記憶する（ステップＳ１７）。ここで、Ｄは前述した基準カーブにおける１００％点灯時の照度基準値に相当する基準値Ｄである。
【００３６】
このように、実施形態１によれば、ランプ安定時の値を加味して補正係数を求めることにより、安定時にランプ光束がダウンしランプ出力が低下することを予測して照度一定制御を行うことができる。これによって、照度一定制御においてランプ光出力が出過ぎることを防止し、無駄な消費電力を抑え、省エネルギーに寄与する照明装置を提供することができる。
【００３７】
（実施形態２）
実施形態２として、本発明に係る補正係数設定動作の第２例を示す。図６に示したように、光源のランプ出力が安定するまで６０分程度かかるため、実施形態２では、ランプ出力が安定するまで所定時間（ここでは６０分）の経過を待ち、ランプ出力安定後に補正係数を求めるようにする。
【００３８】
図８は実施形態２における補正係数の設定手順を示すフローチャートである。ユーザが補正係数の設定を行う補正ボタンを押下操作し、補正係数設定動作を指示する。リモコン受信部９の制御回路２は、補正ボタンの操作に関するリモコン信号を受けると、外光などのない状態の実使用状態で蛍光灯１２を全灯点灯（１００％点灯）させ（ステップＳ２１）、点灯開始から６０分経過したかを判定して（ステップＳ２２）、全灯点灯状態で強制的に６０分間点灯させる。このランプ出力が安定するまで所定時間（６０分）は、光源の種類等によって設定されるものであり、予めメモリ部に安定時間を記憶しておき、タイマ部などにてカウントを行って安定時間を計時する。６０分経過後、照度検出部１による照度の測定を開始し、照度検出値の測定を行う（ステップＳ２３）。そして、照度検出回数をカウントし（ステップＳ２４）、照度検出回数ｎが１０回になったかを判定して（ステップＳ２５）、１０回の照度検出値を得るまで照度の測定を繰り返す。その後、１０回測定した照度検出値の平均化を行い（ステップＳ２６）、平均値の照度検出値（照度検出電圧）Ａを求める。そして、この照度検出値Ａを用いて、Ｈ＝Ａ÷Ｄの式によって補正係数Ｈを算出し、メモリ部に記憶する（ステップＳ２７）。ここで、Ｄは前述した基準カーブにおける１００％点灯時の照度基準値に相当する基準値Ｄである。
【００３９】
実施形態２によれば、確実にランプ出力が安定した状態で補正係数を算出、設定できる。よって、実施形態１と同様、ランプ安定時の値を加味して補正係数を求めることにより、照度一定制御においてランプ光出力が出過ぎることを防止し、省エネルギーに寄与する照明装置を提供することができる。
【００４０】
（実施形態３）
実施形態３として、本発明に係る補正係数設定動作の第３例を示す。実施形態３では、照度検出値からランプ出力が安定したことを判断し、ランプ出力安定時の補正係数を求めるようにする。
【００４１】
図９は実施形態３における補正係数の設定手順を示すフローチャートである。ユーザが補正係数の設定を行う補正ボタンを押下操作し、補正係数設定動作を指示する。リモコン受信部９の制御回路２は、補正ボタンの操作に関するリモコン信号を受けると、外光などのない状態の実使用状態で蛍光灯１２を全灯点灯（１００％点灯）させ（ステップＳ３１）、この状態で照度検出部１による照度の測定を開始し、照度検出値の測定を行う（ステップＳ３２）。そして、照度検出回数をカウントし（ステップＳ３３）、照度検出回数ｎが１０回になったかを判定して（ステップＳ３４）、１０回の照度検出値を得るまで照度の測定を繰り返す。その後、１０回測定した照度検出値の平均化を行い（ステップＳ３５）、平均値の照度検出値（照度検出電圧）Ａを求め、Ａ′＝Ａとする（ステップＳ３６）。
【００４２】
次に、１０分経過したかを判定して（ステップＳ３７）、所定時間（ここでは１０分）経過するまで待機する。１０分経過後、照度検出部１による照度の測定を再度開始し、照度検出値の測定を行う（ステップＳ３８）。そして、照度検出回数をカウントし（ステップＳ３９）、照度検出回数ｎが１０回になったかを判定して（ステップＳ４０）、１０回の照度検出値を得るまで照度の測定を繰り返す。その後、１０回測定した照度検出値の平均化を行い（ステップＳ４１）、平均値の照度検出値（照度検出電圧）Ａを求める。そして、前回の照度検出値Ａ′と所定時間経過後の今回の照度検出値Ａとの差が規定値以内かどうかを判定する（ステップＳ４２）。ここでは、｜（Ａ′−Ａ）／Ａ｜＜０．００５の判定によって、１０分経過後の照度検出値の差が０．５％未満かどうかを判定する。このように、本実施形態では照度検出値を一定時間間隔でサンプリングして、変化がなくなったことを検出してランプ出力の安定を判定する。照度検出値の差が０．５％以上の場合は、ステップＳ３２に戻ってランプ出力が安定するまで同様の処理を繰り返す。照度検出値の差が０．５％未満の場合は、ランプ出力は安定していると判断して、この照度検出値Ａを用いてＨ＝Ａ÷Ｄの式によって補正係数Ｈを算出し、メモリ部に記憶する（ステップＳ４３）。ここで、Ｄは前述した基準カーブにおける１００％点灯時の照度基準値に相当する基準値Ｄである。
【００４３】
実施形態３によれば、照度検出値によってランプ出力が安定したかどうかを判定することで、最短で実際にランプ出力が安定した状態での計測値に基づいて補正係数の設定ができる。よって、実施形態１、２と同様、ランプ安定時の値を加味して補正係数を求めることにより、照度一定制御においてランプ光出力が出過ぎることを防止し、省エネルギーに寄与する照明装置を提供することができる。
【００４４】
上述したように、本実施形態によれば、ランプ光束が安定した状態で補正係数の設定が行え、ランプ１００％点灯初期の光束でなく、ランプ安定時を基準に補正係数を求めることによって、無駄にランプ光束が出すぎることを防止でき、最適な光束にて照度一定の制御を行うことが可能である。よって、例えば住宅の居室において、床面、机上面などの被照射面の平均照度をほぼ一定に保つために、昼光などの有効利用が可能で省エネルギー化が図れ、より快適に使用可能な照明装置を提供できる。
【００４５】
なお、本発明は上記の実施形態において示されたものに限定されるものではなく、明細書の記載、並びに周知の技術に基づいて、当業者が変更、応用することも本発明の予定するところであり、保護を求める範囲に含まれる。
【図面の簡単な説明】
【００４６】
【図１】本発明の実施形態に係る照明装置の構成の一例を示す概観図
【図２】本実施形態に係る照明装置の構成の一例を示すブロック図
【図３】照度基準値を表した基準カーブ及び補正係数を示す図
【図４】通常の補正係数の設定手順を示すフローチャート
【図５】照度一定制御時の照度を示す動作概念図
【図６】ランプ出力の安定時までの時間推移を示す図
【図７】実施形態１における補正係数の設定手順を示すフローチャート
【図８】実施形態２における補正係数の設定手順を示すフローチャート
【図９】実施形態３における補正係数の設定手順を示すフローチャート
【符号の説明】
【００４７】
１  照度検出部
２  制御部
３  メモリ部
４  タイマ部
５  照明器具
６  受光素子
７  ＬＥＤ常夜灯
８  駆動部
９  リモコン受信部
１０  制御部
１１  インバータ部
１２  蛍光灯
１３  力率改善部
１４  フィルタ
１５  点灯回路
１６  器具固定部兼電源接続部
１７  制御部
１８  赤外線ＬＥＤ
１９  操作ボタン
２０  設定ボタン
２１  リモコン装置
【図１】
2010049834.tif 000003
【図２】
2010049834.tif 000004
【図３】
2010049834.tif 000005
【図４】
2010049834.tif 000006
【図５】
2010049834.tif 000007
【図６】
2010049834.tif 000008
【図７】
2010049834.tif 000009
【図８】
2010049834.tif 000010
【図９】
2010049834.tif 000011